(57)【特許請求の範囲】
【請求項１】
書き替え可能な複数のアプリケーションを格納可能なメモリを備えたＩＣカードと、当該ＩＣカードに格納された前記アプリケーションの読み取りを実行するＩＣカード読み取り装置とを備えたＩＣカードシステムにおいて、
前記ＩＣカードは、前記ＩＣカード読み取り装置との接続のための外部コンタクト端子と、前記ＩＣカードの表面の所定の位置に配置される前記アプリケーションを識別する複数の印字領域と、プログラムを実行するカード制御装置とを備え、
前記メモリには、前記複数のアプリケーションと該アプリケーションに対応する前記印字領域の位置情報とが格納され、
前記ＩＣカード読み取り装置は、該ＩＣカード読み取り装置の動作を制御する読み取り制御装置と、前記ＩＣカードを挿入するための挿入口と、該挿入ロに前記ＩＣカードが挿入された状態で前記ＩＣカードの前記外部コンタクト端子に接続するコネクタと、前記アプリケーンョンの選択状況を表示する表示装置と、前記アプリケーションを選択するための選択ボタンとを備え、
前記表示装置と前記ＩＣカードの前記複数の印字領域とは、前記ＩＣカードが前記ＩＣカード読み取り装置の前記挿入口に挿入された状態で隣接する位置となるように配置され、
前記読み取り制御装置は、前記メモリに格納された前記印字領域の位置情報に基づいて、アプリケーションの指示表示を前記印字領域と対向する前記表示装置に表示し、前記選択ボタンの選択操作を受け付けて、前記指示表示を前記複数の印字領域と対向する位置に移動させ、当該指示表示と対向する前記印字領域に対応するアプリケーションの読み取り動作を実行することを特徴とするＩＣカードシステム。
【請求項２】
請求項１記載のＩＣカードシステムにおいて、
前記ＩＣカードの前記印字領域は、その表面が印字を書き換え可能にコーティングされていることを特徴とするＩＣカードシステム。
【請求項３】
請求項１記載のＩＣカードシステムにおいて、
前記ＩＣカードの前記印字領域には、印字したシールが貼り付けられることを特徴とするＩＣカードシステム。
【請求項４】
請求項１記載のＩＣカードシステムにおいて、
前記ＩＣカードへのアプリケーションの格納時に、前記印字領域にアプリケーション提供者名を印字すると共に、印字を行った前記印字領域の位置情報を格納したアプリケーションに対応付けて記憶させることを特徴とするＩＣカードシステム。
【請求項５】
請求項１記載のＩＣカードシステムにおいて、
前記ＩＣカードの表面の長手方向の片側に前記外部コンタクト端子を設けると共に、該ＩＣカードの一方の長辺側にカード所有者名欄を長手方向に沿って設け、
前記カード所有者名欄と対向する長辺側の表面または裏面に磁気ストライプを長手方向に沿って設け、
前記カード所有者名欄の表面位置にアプリケーションの提供者名を表記する前記印字領域を備えたことを特徴とするＩＣカードシステム。
【請求項６】
請求項１記載のＩＣカードシステムにおいて、
前記ＩＣカードの表面に、その長手方向の片側に前記外部コンタクト端子を、長手方向の他端にカード発行者名欄を設け、さらに、前記外部コンタクト端子とカード発行者名欄とを挟むように情報を磁気記録した磁気ストライプとカード所有者欄とを長手方向に沿って設け、
前記ＩＣカードの裏面に、前記カード発行者名欄の裏面位置にサイン欄、前記磁気ストライプの裏面位置に注意説明欄、カード所有者名棚の表面位置にアプリケーションの提供者名を表記する前記印字領域を設けたことを特徴とするｌＣカードシステム。
【請求項７】
請求項１記載のＩＣカードシステムにおいて、
前記ＩＣカードの表面に、その長手上向の片側に前記外部コンタクト端子を、長手方向の他端にカード所有者名欄とカード注意説明欄とを設け、さらに、ＩＣカードの一方の長辺側にカード所有者名欄を長手方向に沿って設け、ＩＣカードの裏面に、ＩＣカードの両方の長辺側に磁気ストライプとアプリケーションの提供者名を表記する前記複数の印字領域とを長手方向に沿って設け、さらに、磁気ストライプとアプリケーション提供者名欄との間にサイン欄を設けたことを特徴とするＩＣカードシステム。
【請求項８】
請求項５、６または７記載のＩＣカードシステムにおいて、
前記カード所有者名欄は、カード所有者の氏名または識別番号が表面側に凸状に形成されたエンボス加工により形成され、前記複数の印字領域は、アプリケーションの提供者名が印刷されたシールを張り付けて構成されていることを特徴とするＩＣカードシステム。
【発明の詳細な説明】
【０００１】
【発明の属する技術分野】
本発明は、マルチアプリケーションＩＣカードを処理するＩＣカードシステムに係り、特に、各種の電子通貨システム、各種のクレジットカードシステム等に共通に使用することを可能としたマルチアプリケーションＩＣカードの処理を行うＩＣカードシステムに関する。
【０００２】
【従来の技術】
近年、ＩＣカードを使用する各種の電子通貨システム、ＩＣカードを使用する各種のクレジットカードシステムか提案されている。これらのシステムに使用するＩＣカードは、その内部に通信機能を有するマイクロプロセッサと、処理プログラム、電子通貨の残額、カードの使用により与えられてその点数が所定値となると所定の金品を受け取ることができるポイントを格納するＥＥＰＲＯＭ等によるメモリとを備えて構成される。そして、電子通貨に使用するＩＣカードは、銀行、商店、個人の住宅等に備えられる端末を通信回線を介して任意に接続可能に構成される電子通貨システムを介して、また、専用の端末を使用することにより、他のＩＣカードとの間で、電子通貨の出し入れが可能である。また、クレジットのために使用するＩＣカードは、商店等に備えられる端末を介してクレジット会社からのカードの正当性の確認を受け、商品購入等の処理後に前述のポイントが格納される。
【０００３】
【発明が解決しようとする課題】
前述で提案されている各種の電子通貨システム、各種のクレジットカードシステムは、それぞれが、そのシステムに特有のＩＣカードを使用するものであり、１つのカードで全て電子通貨システム、クレジットカードシステムに対応することができるＩＣカードは未だ知られていない。このため、各種の電子通貨システム、各種のクレジットカードシステムに加入する一般のユーザは、加入するシステム毎に対応するＩＣカードを所持しなければならず、また、使用に際しては、間違いなく使用しようとしているシステムに対する正しいＩＣカードを使用しなければならないものであり、カードの管理にも手数のかかるものである。
【０００４】
本発明の目的は、前述した各種の電子通貨システム、クレジットカードシステムに共通に使用することができるマルチアプリケーションＩＣカードの処理を行うＩＣカードシステムを提供することにある。
【０００５】
【課題を解決するための手段】
本発明によれば前記目的は、書き替え可能な複数のアプリケーションを格納可能なメモリを備えたＩＣカードと、当該ＩＣカードに格納された前記アプリケーションの読み取りを実行するＩＣカード読み取り装置とを備えたＩＣカードシステムにおいて、前記ＩＣカードは、前記ＩＣカード読み取り装置との接続のための外部コンタクト端子と、前記ＩＣカードの表面の所定の位置に配置される前記アプリケーションを識別する複数の印字領域と、プログラムを実行するカード制御装置とを備え、前記メモリには、前記複数のアプリケーションと該アプリケーションに対応する前記印字領域の位置情報とが格納され、前記ＩＣカード読み取り装置は、該ＩＣカード読み取り装置の動作を制御する読み取り制御装置と、前記ＩＣカードを挿入するための挿入口と、該挿入ロに前記ＩＣカードが挿入された状態で前記ＩＣカードの前記外部コンタクト端子に接続するコネクタと、前記アプリケーンョンの選択状況を表示する表示装置と、前記アプリケーションを選択するための選択ボタンとを備え、前記表示装置と前記ＩＣカードの前記複数の印字領域とは、前記ＩＣカードが前記ＩＣカード読み取り装置の前記挿入口に挿入された状態で隣接する位置となるように配置され、前記読み取り制御装置は、前記メモリに格納された前記印字領域の位置情報に基づいて、アプリケーションの指示表示を前記印字領域と対向する前記表示装置に表示し、前記選択ボタンの選択操作を受け付けて、前記指示表示を前記複数の印字領域と対向する位置に移動させ、当該指示表示と対向する前記印字領域に対応するアプリケーションの読み取り動作を実行することにより達成される。
【０００６】
また、前記目的は、前記ＩＣカードの前記印字領域は、その表面が印字を書き換え可能にコーティングされていることにより、あるいは、印字したシールが貼り付けられることにより達成される。
【０００７】
さらに、前記目的は、前記ＩＣカードへのアプリケーションの格納時に、前記印字領域にアプリケーション提供者名を印字すると共に、印字を行った前記印字領域の位置情報を格納したアプリケーションに対応付けて記憶させることにより達成される。
【０００８】
また、前記目的は、前記ＩＣカードの表面の長手方向の片側に前記外部コンタクト端子を設けると共に、該ＩＣカードの一方の長辺側にカード所有者名欄を長手方向に沿って設け、前記カード所有者名欄と対向する長辺側の表面または裏面に磁気ストライプを長手方向に沿って設け、前記カード所有者名欄の表面位置にアプリケーションの提供者名を表記する前記印字領域を備えたことにより達成される。
【０００９】
また、前記目的は、前記ＩＣカードの表面に、その長手方向の片側に前記外部コンタクト端子を、長手方向の他端にカード発行者名欄を設け、さらに、前記外部コンタクト端子とカード発行者名欄とを挟むように情報を磁気記録した磁気ストライプとカード所有者欄とを長手方向に沿って設け、前記ＩＣカードの裏面に、前記カード発行者名欄の裏面位置にサイン欄、前記磁気ストライプの裏面位置に注意説明欄、カード所有者名棚の表面位置にアプリケーションの提供者名を表記する前記印字領域を設けたことにより達成される。
【００１０】
また、前記目的は、前記ＩＣカードの表面に、その長手上向の片側に前記外部コンタクト端子を、長手方向の他端にカード所有者名欄とカード注意説明欄とを設け、さらに、ＩＣカードの一方の長辺側にカード所有者名欄を長手方向に沿って設け、ＩＣカードの裏面に、ＩＣカードの両方の長辺側に磁気ストライプとアプリケーションの提供者名を表記する前記複数の印字領域とを長手方向に沿って設け、さらに、磁気ストライプとアプリケーション提供者名欄との間にサイン欄を設けたことにより達成される。
【００１１】
さらに、前記目的は、前記カード所有者名欄は、カード所有者の氏名または識別番号が表面側に凸状に形成されたエンボス加工により形成され、前記複数の印字領域は、アプリケーションの提供者名が印刷されたシールを張り付けて構成されていることにより達成される。
【００１２】
【発明の実施の形態】
以下、本発明によるマルチアプリケーションＩＣカードを処理するカードシステムの実施形態を図面により詳細に説明する。
【００１３】
図１は本発明によるマルチアプリケーションＩＣカードが使用されるマルチアプリケーションＩＣカードシステムの構成を示すブロック図であり、まず、図１を参照して、マルチアプリケーションＩＣカードシステムの構成を説明する。図１において、１はカード及びアプリケーション発行者システム、２は個人あるいは個人経営のごく小規模の商店等のシステム（以下、単にエンドユーザシステムという）、３は卸し売等も含めた広い意味での販売店でのシステム（以下、単に、流通システムという）、４は金融システム、５は自動販売機システム、６は公衆通信網、１０はマルチアプリケーションＩＣカード（以下、単にＩＣカードという）、１１は携帯型ＩＣカード読み取り装置、１２は携帯型ＩＣカード読み取り書き込み装置、１３はパソコン、１４はＰＣカード型ＩＣカードリーダーライター、１５はＩＣカード電話機、１６はＩＣカードリーダーライター、１７はＩＣカード用クレジットカード決済端末、１８はＰＯＳ端末、１９はストアコントローラー、２０は窓口端末、２１は現金自動預入支払機、２２は内部通信回線、２３は内蔵型ＩＣカードリーダーライター、２４は自動販売機、２５は電子通貨格納用電子金庫、２６はアプリケーション組み込み端末、３０はカードアプリケーション、３１は端末アプリケーション、３２は電子通貨、プリペイド、クレジット、各種証明書発行などの処理を管理するサーバーアプリケーション管理システム、３３は情報制御システムである。なお、図１における太線は情報の移動を示している。
【００１４】
図１に示すマルチアプリケーションＩＣカードシステムは、インターネット、公衆電話網、ＩＳＤＮ等の公衆通信網６に、カード及びアプリケーション発行者システム１、エンドユーザシステム２としてのパソコン１３とＰＣ型ＩＣカードリーダーライター１４とによるシステムまたはＩＣカード電話装置１５、百貨店、スーパーマーケット等の販売店のシステムである流通システム３、金融システム４、自動販売機システム５等接続して構成されている。図示例のシステムは、代表的なシステムの１システムずつを公衆通信網に接続して構成したものとして示したが、実際には必要に応じ、多数のシステムが公衆通信網６に接続されて構成される。
【００１５】
カード／アプリケーション発行者システム１は、電子通貨発行機関、プリペイドカード発行機関、クレジット会社、身分証明管理会社等による管理システムであり、発行すべきＩＣカード１０、ＩＣカード１０に格納するその管理システムに特有のカードアプリケーション３０、そのＩＣカード１０が使用される端末装置等に格納される端末アプリケーション３１及びサーバーアプリケーション管理システム３２を備えている。
【００１６】
エンドユーザシステム２は、主に個人ユーザシステムであり、例えば、パソコン１３とＰＣカード型ＩＣカードリーダーライター１４とにより、あるいは、ＩＣカード電話機１５により構成することができる。また、エンドユーザシステム２は、簡単には、ＩＣカード読み取り装置１１、または、携帯型ＩＣカード読み取り書き込み装置１２だけでもよい。携帯型ＩＣカード読み取り書き込み装置１２は、ＩＣカード内の様々なアプリケーションを実行することができるだけのものであるが、これによっても、最低限の機能を発揮することができる。また、ＩＣカード読み取り装置１１は、複数のアプリケーションに関する情報、例えば、電子通貨残高、プリペイド残り度数、クレジット利用履歴等を参照することができる。また、パソコン１３は、個人が所有するものに、ＩＣカード読み取り用のＰＣカード型カードリーダ／ライタ１４を設けて、公衆通信網６と接続可能に構成される。また、ＩＣカード電話機１５は、通常の電話機にＩＣカード内の様々なアプリケーションを実行することができるＩＣカード１０に対する処理機能を備えたものである。
【００１７】
流通システム３は、ＩＣカードリーダ／ライタ１６が設けられたＰＯＳ端末１８、ＩＣカード用クレジットカード決済端末１７、内部通信回線２２、ストアコントローラー１９、店舗内を管理する情報制御システム３３、売り上げにより得た電子通貨を収納する電子通貨格納用電子金庫２５を備えて構成される。そして、情報制御システム３３は、公衆通信網６を介してサーバーアプリケーション管理システム３２との間で必要な情報の送受信を行う。
【００１８】
金融システム４は、ＩＣカードリーダ／ライタ１６が接続された窓口端末２０、現金自動預入支払機２１、金融店舗内を管理する情報制御システム３３、これらを接続する内部通信回線２２により構成される。そして、窓口端末２０は、ＩＣカードリーダ／ライタ１６を介して電子通貨の決済を行うことができ、また、現金自動預入支払機２１には、同様なＩＣカードリーダ／ライタが内蔵されて、電子通貨の預入、引き出しを行うことができる。
【００１９】
自動販売機システム５は、内蔵型のＩＣカードリーダ／ライタ２３が設けられた自動販売機２４により構成される。
【００２０】
前述において、カード／アプリケーション発行者システム１内のサーバーアプリケーション管理システム３２は、公衆通信網６を介して、エンドユーザシステム２のパソコン１３及びＩＣカード電話装置１５、店舗システム３、金融システムと接続されており、また、ＩＣカード１０は、カードアプリケーション３０が組み込まれ個人ユーザに提供される。また、流通システム３及び金融システム４内に設けられているアプリケーション組み込み端末２６は、エンドユーザが持つＩＣカードに必要なアプリケーションを書き込むために使用される。
【００２１】
なお、図１に示すシステムの例は、エンドユーザシステム２、自動販売機システム５も公衆通信網６に接続されているとしているが、これらは、必ずしも通信網に接続される必要はなく、例えば、エンドユーザシステム２が、小規模な商店等である場合、顧客のＩＣカード内の電子通貨を自店のＩＣカードに格納する処理をシステム内で実行可能にしておけばよい。自動販売機システム５の場合も同様である。
【００２２】
図２はＩＣカード１０内の機能構成を説明する図、図３はカード表面のアプリケーションの表示状況を説明する図であり、以下、ＩＣカード１０について説明する。図２において、４０はＣＰＵ、４１はＲＡＭ、４２はＲＯＭ、４３はＥＥＰＲＯＭ、４４は通信制御ブロック、４５は外部コンタクト、４６は内部バスである。
【００２３】
ＩＣカード１０は、図２（ａ）に示すように、プログラムを実行するＣＰＵ４０と、プログラム実行時のワークとして使用されるＲＡＭ４１と、カードアプリケーションを制御するオペレーティングシステム、カードＩＤ等が格納されるＲＯＭ４２と、各種のサービス提供者が持つカード／アプリケーション発行者システム１から配布される複数のカードアプリケーション及びカード上へのサービス会社名の印字位置情報が格納されるＥＥＰＲＯＭ４３と、外部装置との間でのデータの入出力を制御する通信制御部４４と、これらを相互に接続してデータの転送を行うための内部バス４６と、通信制御部４４に接続されたカードリーダ、あるいは、カードリーダ／ライタ等の外部装置との接続のための外部コンタクト４５とにより構成されている。なお、図示していないが、これらを動作させる電源は、ＩＣカード内部に設けられてもよいが、コンタクト４５を介して外部装置から供給されてもよい。
【００２４】
ＥＥＰＲＯＭ４３は、図２（ｂ）に示すように、共通データ格納領域と、複数のアプリケーションを格納する領域と、この領域に対応する図３により説明するアプリケーション提供者名を印字するＩＣカード上の印字領域の位置情報格納領域とにより構成される。なお、複数の印字領域に対する位置情報は、ＥＥＰＲＯＭ４３内に図示しない管理テーブル等を設けて、その空きか、使用中かが管理されている
そして、図３（ａ）、図３（ｂ）に示すように、ＩＣカード１０の表面には、その長手方向の一方の側に前述した外部装置との接続のための外部コンタクト４５が露出しており、また、アプリケーションを供給したサービス会社の名称等が印字される複数の印字領域４７が設けられている。この複数の印字領域４７は、図３（ａ）に示すように、外部コンタクト４５に隣接する中央側の位置に、一列に並べられてもよく、また、図３（ｂ）に示すように、マトリクス状となるように多数並べられてもよい。印字位置の情報は、図３（ｂ）に示すように、Ｘ座標とＹ座標とにより、その印字開始位置が予め定められて、アプリケーションが格納されたときに、それに伴って順使用されていくようにするのがよい。また、この印字領域は、印字の書き替えが可能なようなコーティングを施しておくことにより、あるいは、印字されたシールを貼付ることが可能としておくことにより、アプリケーションの書き替えに伴って、印字の書き替えをも可能とすることができる。なお、このアプリケーションを提供するサービス会社名の印字については、後に、詳細に説明する。
【００２５】
次に、前述したように構成される本発明が適用されるマルチアプリケーションＩＣカードシステムの利用方法を説明する。
【００２６】
まず、システムに参加する銀行等の金融機関、商店、自動販売機、個人等には、カード／アプリケーション発行者１から、それぞれの業務用機器に組み込まれる端末アプリケーション３１が提供される。通常、端末アプリケーション３１の組み込みは、アプリケーション組み込み端末２６によって行われる。また、アプリケーション組み込み端末２６は、銀行、商店等が、エンドユーザのＩＣカード１０や携帯型ＩＣカード読み取り書き込み装置１２等にアプリケーションを組み込むためにも利用される。
【００２７】
また、システムに参加するエンドユーザとしての個人は、配布されたＩＣカード１０を所持し、その中に電子通貨、クレジット、プリペイド、身分証明等の必要とする複数のカードアプリケーションを組み込むことにより、複数のサービスを１枚のＩＣカード１０で利用することができる。また、ＩＣカード読み取り装置１１によって、複数のアプリケーションに関連する情報、例えば、電子通貨の残高、クレジットの利用履歴、プリペイドの残り度数等を任意に参照することができる。その際、ＩＣカード読み取り装置１１にＩＣカード１０を挿入した場合に、利用頻度の最も高いアプリケーションに関する参照情報が自動的に表示されるようにすることができる。
【００２８】
いま、ユーザのＩＣカード１０内に、電子通貨、クレジット、プリペイド、身分証明のカードアプリケーション３０が格納されているする。また、パソコン１３、ＩＣカード電話機１５には、ＩＣカード１０内に格納されているカードアプリケーションに対応する端末アプリケーション３１が組み込まれているものとする。
【００２９】
ユーザは、ＩＣカード１０をＰＣ型ＩＣカードリーダーライター１４を備えたパソコン１３またはＩＣカード電話機１５のＩＣカードスロットに挿入する。電子通貨アプリケーションが選択されている場合、公衆通信網６を介して金融システム４に接続して、銀行に持つ自己の口座の預金を電子通貨に交換して引き出し、自己のＩＣカード１０内に収納することができる。
【００３０】
前述のようにして、電子通貨及を自己のＩＣカード１０内に収納したユーザは、各種商店等において、複数の支払い方法により買い物をすることができ、また、各種のサービスを受けることが可能である。例えば、電子通貨を自己のＩＣカード１０内に収納したユーザが、商店で買い物を行い、支払のためのＰＯＳ端末１８のカウンタに買い上げた商品を持ち込んだものとする。扱い者は、通常の取引と同様に、バーコードを読み込ませること等により、商品の売値をＰＯＳ端末１８からその合計を演算させて顧客に請求する。顧客が現金の代りに電子通貨が収納されたＩＣカード１０により支払いを行う場合、顧客は、そのＩＣカードをＰＯＳ端末１８に接続されたＩＣカードリーダ／ライタ１６に挿入する。これにより、顧客のＩＣカードとその商店の情報制御システム３３に設置されている電子金庫２５とが、内部通信回線２２を介して接続され、ＰＯＳ端末からレシートが出力されて、買い物による支払いの処理が終了する。この場合、顧客のＩＣカード内の電子通貨は、買い物に使用された分だけ減額される。
【００３１】
また、ユーザが、クレジットによる買物をしようとする場合、扱い者は、ＩＣカード用クレジットカード決済端末１７のＩＣカードリーダに挿入する。これにより、ＩＣカード用クレジットカード決済端末１７は、公衆通信網６を介してカード／アプリケーション発行者に接続され、ユーザのＩＣカード１０の内容に基づいてクレジットカードの認証手続きが行われる。また、電子通貨とクレジットとの併用、クレジットとプリペイドとの併用等の組み合わせでの支払いも可能となる。
【００３２】
前述では、ユーザが商店で買物をするとして説明したが、ユーザは、携帯型ＩＣカード読み取り書き込み装置１２、パソコン１３、ＩＣカード電話機１５を利用し、公衆通信網６を介して通信販売会社等と接続して商品の購入を行うことができる。この場合、特定商品の購入に対する支払い方法を前もってＩＣカード電話機１５に記憶させ、支払いの際に自動的にその支払い方法が選択されるようにすることができる。また、商品購入に際して、商店からキャッシュバックサービスのためのポイント等の情報が発行される場合、その情報は顧客のＩＣカード１０に記憶される。
【００３３】
また、提供されるカードアプリケーション３０及び、端末アプリケーション３１の利用期間が限定されている場合、ＩＣカード読み取り装置１１、携帯型ＩＣカード読み取り書き込み装置１２、ＰＣ型ＩＣカードリーダーライター１４を備えたパソコン１３及びＩＣカード電話機１５は、ＩＣカード１０の内容を読み込んでその期限を表示することができる。
【００３４】
図４はＩＣカード読み取り装置１１の機能構成を示すブロック図、図５はＩＣカード読み取り装置１１の外形、構造を説明する図、図６はＩＣカード読み取り装置１１にＩＣカードを挿入して表示を行わせている状態を説明する図、図７はＩＣカード読み取り装置１１の構造の他の例を説明する図、図８はＩＣカード読み取り装置１１の構造のさらに他の例を説明する図であり、以下、これらの図を参照してＩＣカード読み取り装置について説明する。図４〜図８において、５０はＬＳＩ、５１はＣＰＵ、５２はＲＯＭ、５３はＲＡＭ、５４はＩＣカード活性化制御部、５５はＩ／Ｏポート、５６は表示部、５７は選択ボタン、５８は電源、５９はコネクタ、６０はアプリケーション指示表示、６１は選択スイッチ、６２は本体部、６３はＩＣカード挿入口である。
【００３５】
ＩＣカード読み取り装置１１は、すでに説明したように、ＩＣカード１０内の複数のアプリケーションに関する情報、例えば、電子通貨残高、プリペイド残り度数、クレジット利用履歴等を参照することができるものであるが、ＩＣカード１０内のデータの書替えを行うことができないものである。このＩＣカード読み取り装置１１は、図４に示すように、装置全体の制御機能を集積回路化したＬＳＩ５０と、液晶等による表示部５６と、アプリケーションの選択のための選択ボタン５７と、電源５８と、ＩＣカード１０の外部コンタクト４５に接続されるコネクタ５９とにより構成される。
【００３６】
また、ＬＳＩ５０は、プログラムを実行することにより読み取り装置全体の処理動作を制御するＣＰＵ５１と、ＯＳ及びＩＣカード１０内に格納されている複数のアプリケーション内読み出しが許されている情報のみを取り出すためのプログラムである共通ブラウザを格納しているＲＯＭ５２と、ワークメモリとしてのＲＡＭ５３と、ＩＣカード１０内を活性化して情報を取り出すことを可能にする制御を行うＩＣカード活性化制御部５４と、ＩＣカード１０との間の情報の入出力を制御するＩ／Ｏポート５５とにより構成されている。
【００３７】
ＩＣカード読み取り装置１１の本体部６２の外形は、図５（ａ）に示すように、その上面に表示部５６を有し、側面に図５（ｃ）に示すような略名刺サイズのＩＣカード１０の外部コンタクト４５が設けられている短い辺を挿入することができるＩＣカード挿入口６３を備えた小型の長方形の形状を有して構成され、キーホルダー等として構成することもできる。また、その内部には、図５（ｂ）に断面図として示しているように、ＩＣカード１０がＩＣカード挿入口６３から挿入されたとき、ＩＣカード１０のＬＳＩ５０と外部コンタクト４５とコネクタ５９とが電気的に接続されるようにコネクタ５９を配置した基板が収納されている。表示部５６には、後述するように、ＩＣカード１０に格納されているアプリケーション内の情報が表示されると共に、選択ボタン５７により選択されたアプリケーションを指示するアプリケーション指示表示６０が表示される。
【００３８】
ＩＣカード読み取り装置１１にＩＣカードを挿入して表示を行わせている状態を説明する図６において、図６（ａ）に示すようにＩＣカード１０がＩＣカード読み取り装置１１に挿入されたとき、ＩＣカード１０上のアプリケーション提供者名の複数の印字領域４７と表示部５６内のアプリケーション指示表示とが対向することになる。アプリケーション指示表示６０は、左右シフト用に設けられている２つの選択ボタン５７により可視状態となる位置が左右方向に移動させられて、対応する位置にある印字領域４７を指し示して、ＩＣカード１０内の選択されるアプリケーション提供者名を利用者に認知させる。
【００３９】
図６（ａ）に示す例は、電子通貨を発行管理しているＡ社が選択された状態を示しており、このアプリケーション指示表示の位置情報がＩＣカード１０に転送されて、Ａ者の電子通貨のＩＣカード１０内の残高が表示部に表示されている。同様に、図６（ｃ）に示す例は、クレジット会社であるＢ社が選択された状態を示しており、Ｂ社から商品の購入をして付与されたポイント値が表示部に表示されている。
【００４０】
なお、図６（ｂ）は、ＩＣカード読み取り装置１１にＩＣカードを挿入した状態での内部断面を示しており、図５（ｂ）により説明したように、コネクタ５９が、ＩＣカード１０の外部コンタクト４５と接触している。
【００４１】
図７に示すＩＣカード読み取り装置１１の他の構造の例は、アプリケーション提供社名の複数の印字領域４７間を指し示しながらスライドするアプリケーション選択スイッチ６１を、図７（ａ）に示すように表示部５６の長手方向に設け、これにより、アプリケーションの選択とその提供社名の認識とを行わせるようにしたものである。従って、この例では、図５、図６により説明した選択ボタン５７と表示部へのアプリケーション表示指示６０を不用とすることができる。なお、図７（ｂ）に示すように、その内部構造は、図５、図６に示して説明したものと同一である。
【００４２】
図８に示すＩＣカード読み取り装置１１のさらに他の構造の例は、ＩＣカード１０のアプリケーション提供社名の複数の印字領域４７を、図８（ａ）に示すようにカード上の長手方向に並べたＩＣカード１０に対するものである。そして、この例に示すＩＣカード読み取り装置１１は、図８（ｂ）、図８（ｃ）に示すように、ＩＣカード１０全体が装置の内部に収納されるような構造を備え、表示部５６は、ＩＣカード１０の長手方向に沿って設けられている。表示部５６内にアプリケーション指示表示６０が設けられ、選択ボタン５７が設けられている点は、図５、図６により説明した例と同一である。
【００４３】
図８に示す例の特徴的な点は、ＩＣカード１０アプリケーション提供社名の複数の印字領域４７に対応する装置本体部６２に切欠き部を設けてアプリケーション名表示窓６４が設けられている点である。利用者は、この表示窓６４に見えるアプリケーション提供社名と表示部５６内のアプリケーション指示表示６０とにより選択されているアプリケーションを確認することができる。
【００４４】
図４〜図８により説明したＩＣカード読み取り装置の各種の例は、アプリケーション指示表示６０またはアプリケーション選択スイッチ６１の位置により、ＩＣカード１０の上に印字されているアプリケーション提供社名を確認するものであったが、本発明は、選択ボタン、選択スイッチにより選択されたアプリケーションを提供する会社名を表示部５６内に表示するようにすることもできる。
【００４５】
また、前述した例では、選択ボタン、選択スイッチによりアプリケーションを選択するとしたが、ＩＣカード読み取り装置の内部に、最後に使用されたアプリケーションを記憶しておくようにすることにより、その後に、ＩＣカード読み取り装置が使用されたとき、記憶されているアプリケーションを自動的に選択して、そのアプリケーション内の情報を直ちに表示させるようにすることもできる。
【００４６】
図９はＩＣカード読み取り書き込み装置の構成を示すブロック図、図１０は携帯型ＩＣカード読み取り書き込み装置１２の外形構造について説明する図、図１１は携帯型ＩＣカード読み取り書き込み装置１２の外形構造の他の例について説明する図であり、以下、これらの図を参照して、ＩＣカード読み取り書き込み装置の構成、構造について説明する。図９〜図１１において、７１はフラッシュＲＯＭ、７２はソフトチャージャー接続部、７３は入力部、７４は変復調部、７５は発光／受光部であり、他の符号は図４〜図８の場合と同一である。
【００４７】
図９に示すＩＣカード読み取り書き込み装置は、図１で説明した携帯型ＩＣカード読み取り書き込み装置１２、ＩＣカードリーダ／ライタ１６、１４に共通の回路構成を有し、それぞれに特有の機能は内部に格納されるアプリケーションにより決定される。そして、図示ＩＣカード読み取り書き込み装置は、図９示すように、装置全体の制御機能を集積回路化したＬＳＩ５０と、液晶等による表示部５６と、アプリケーションの選択のための選択ボタン、暗証番号、金額等を入力する多数のキーによる入力部７３と、電源５８と、メニュー管理テーブル、各種のアプリケーションが格納されるフラッシュＲＯＭ７１と、ＩＣカード１０の外部コンタクト４５に接続されるコネクタ５９と、外部装置とのインタフェースであり、外部から自装置に必要なアプリケーション、ＩＣカードに格納するアプリケーション等を受け取るソフトチャージャー接続部７２と、この接続部７２と同等の機能を光伝送により実行する変復調部７４及び発光部／受光部７５とにより構成される。
【００４８】
また、ＬＳＩ５０は、基本的に図４により説明したＩＣカード読み取り装置に使用されるものと同一でよく、プログラムを実行することにより読み取り装置全体の処理動作を制御するＣＰＵ５１と、マネージャーＯＳ及びＩＣカード１０内に格納されている複数のアプリケーションの処理を実行するドライバ、アプリケーションを読み込むためのプログラムであるＡＰローダを格納しているＲＯＭ５２と、ワークメモリとしてのＲＡＭ５３と、ＩＣカード１０内を活性化してＩＣカード１０内のアプリケーションの処理を可能にする制御を行うＩＣカード活性化制御部５４と、ＩＣカード１０との間の情報の入出力を制御するＩ／Ｏポート５５とにより構成されている。
【００４９】
前述したＩＣカード読み取り書き込み装置は、個人ユーザが前述で説明したＩＣカード読み取り装置の場合と同様に、ＩＣカード１０内に格納されている各種のアプリケーション内の情報を読み出して確認するために使用することができ、パソコンやＰＯＳ端末等の外部装置との間で光通信等によるＩＣカード内の情報の送受信が可能な場合、ＩＣカード内の電子通貨による支払処理、クレジットによる商品購入時のポイントを受領してＩＣカード内に格納する処理、カード／アプリケーション発行者システム１からの端末アプリケーション３１の受領処理、カードアプリケーション３０の受領処理等を行うことができる。また、カード内部の情報に対するセキュリティのために、テンキー、ロック、アンロックボタンを使用して、内部情報に対するロックを行い、また、それを解除することができる。
【００５０】
前述のような機能構成を有する携帯型ＩＣカード読み取り書き込み装置１２は、図１０（ａ）に示すように、その上面に、電源ボタン、メニュー切り替えボタン、アプリケーション選択ボタン、ロック／アンロック切り替えボタン、残高表示選択ボタン、履歴表示選択ボタン、クリア指示ボタン、入力ボタン、テンキーが設けられた入力部７３が設けられ、上部に表示部５６が設けられて構成される。ＩＣカード１０は、上部側面に設けられたＩＣカード挿入口から挿入され、ＩＣカード１０の外部コンタクト４５が内部に格納される程度に浅く差し込まれる。
【００５１】
表示部５６にアプリケーション指示表示６０が設けられている点、図１０（ｂ）に示すように、ＩＣカード１０の外部コンタクト４５が装置内部でコネクタ５９と接触するようにされている点とは、図５、図６により説明したＩＣカード読み取り装置の場合と同一である。
【００５２】
図１１に示す携帯型ＩＣカード読み取り書き込み装置１２の他の例は、ＩＣカード１０全体が装置の内部に収納されるような構造を備え、表示部５６は、ＩＣカード１０の長手方向に沿って設けたものである。そして、この例では、装置の上面のＩＣカード１０アプリケーション提供社名の複数の印字領域４７に対応する位置に切欠き部を設けてアプリケーション名表示窓６４を設け、アプリケーション提供社名の複数の印字領域４７間を指し示しながらスライドするアプリケーション選択スイッチ６１を設けている。
【００５３】
図１２はＩＣカード読み取り書き込み装置の他の構成例を示すブロック図、図１３はＩＣカード読み取り書き込み装置の外形構造について説明する図であり、図の符号は図９、図１０の場合と同一である。この図１２、図１３に示す例は、前述までに説明した携帯型のＩＣカード読み取り書き込み装置に２枚のＩＣカードを処理する機能を持たせ、電子財布として使用することができるようにした例である。
【００５４】
図１２に示す例のＩＣカード読み取り書き込み装置は、２枚のＩＣカード１０と内部回路とを接続するコネクタ５９が２組設けられている以外、図９の場合と全く同一に構成されている。そして、フラッシュＲＯＭ７１内に格納するアプリケーションの１つとして電子財布の処理のためのアプリケーションが格納されている。
【００５５】
また、その外観は、図１３（ａ）に示すように、入力部７３に、カード選択ボタンと転送ボタンとが余分に設けられている点、及び、表示部５６にもう１枚のＩＣカードの情報を表示することができ、また、電子通貨の移動方向を示す矢印等を表示することがてきる点、もう１枚のＩＣカード用のＩ／Ｏポート５５’を備える点、及び、図１３（ｂ）に示すように、２枚のＩＣカード１０が挿入可能な構造を備えている点で図１０に示すものと相違しており、その他は、図１０の場合と同様な構造を有している。
【００５６】
図１３に示す例では、１枚のＩＣカード１０は、図１０の例の場合と同様に、ＩＣカード１０の外部コンタクト４５のある一部分が装置内に挿入可能に、また、もう１枚のＩＣカード１０が装置の内部に完全に収納されるように挿入される。そして、通常、装置の内部に完全に収納されるＩＣカード１０と図示例の電子財布としてのＩＣカード読み取り書き込み装置とが、特定の個人ユーザのものとして利用される。
【００５７】
このような電子財布を利用して個人間で電子通貨のやり取りを行おうとする場合、相手となる人のＩＣカードを装置上部に挿入し、電子通貨発行会社のアプリケーションを選択し、電子通貨を移動させる方向をカード選択ボタンにより選択して移動させる金額を入力し、さらに、転送ボタンを操作することにより、電子通貨の所定額を一方のＩＣカードから他方のＩＣカードに転送することができる。なお、その際、少なくとも支払側となるＩＣカードの所持者は、予め、暗証番号等の入力とロック／アンロックボタンを操作して、ＩＣカードのロックを解除して、ＩＣカード内のデータ処理が可能にしておく必要がある。
【００５８】
前述では、電子通貨をＩＣカード間で転送するとしたが、本発明は、クレジットによる商品の購入で付与されるポイントの個人間の移動が許されている場合、クレジット会社のポイントのＩＣカード間での転送を行うこともできる。また、個人商店等の小規模点の場合、前述の電子財布としてのＩＣカード読み取り書き込み装置のみを利用して、顧客から電子通貨を受け取って商品を販売することもできる。
【００５９】
図１４は図１に示したアプリケーション組み込み端末２６の構成を示すブロック図、図１５はアプリケーション組み込み端末２６の内部構造を説明する図であり、以下、これらの図を参照してアプリケーション組み込み端末２６について説明する。図１４、図１５において、８０は本体部、８１はモデム接続部、８２は駆動部、８３は印字部、８４は表示部、８５は操作キーであり、他の符号は図９の場合と同一である。
【００６０】
図示アプリケーション組み込み端末２６は、図１４示すように、装置全体の制御機能を集積回路化したＬＳＩ５０と、アプリケーションの選択等のための操作キー８５が表示される液晶等による表示部８４と、電源５８と、ＩＣカードを印字位置に搬送する駆動部８２と、印字部８３と、ＩＣカード１０の外部コンタクト４５に接続されるコネクタ５９と、外部装置とのインタフェースであり、ＩＣカードに格納するアプリケーション等を受け取るモデム接続部８１とにより構成される。
【００６１】
装置全体は、図１５（ａ）、図１５（ｂ）に示すように、本体部８０が前面部に傾斜部が形成された略箱型に構成され、傾斜部に操作キー８５が表示される表示部８４が設けられている。操作キー８５は、インストールするアプリケーションの選択、また、インストールあるいは削除の選択を行うものである。
【００６２】
アプリケーション組み込み端末２６は、ＩＣカードの所有者である個人ユーザが、自己のＩＣカード内に新たなクレジット会社等に加入して、それに対応するカードアプリケーションを格納しようとする場合に使用するものである。そして、利用者が、図１５（ｂ）に示すように、図示しないＩＣカード挿入口から自分のＩＣカードを図示の左向きの矢印の方向に装置内に挿入すると、ＩＣカードは、駆動部８２により搬送され、印字部８３の位置にＩＣカード上のアプリケーション印字領域４７が位置し、また、外部コンタクト４５がコネクタ５９と接触するように位置する。
【００６３】
この状態で、後述するような処理を行うことにより、ユーザが持つＩＣカード内にユーザが希望するクレジット会社のアプリケーションが格納され、同時に、ＩＣカードの表面のアプリケーション印字領域４７にその会社名が印字される。図１５に示す例では、３社のアプリケーションが格納され、その名称が印字領域４７に印字されているＩＣカードにＤ社のクレジットに加入し、Ｄ社の名称が印字された状態を示している。
【００６４】
なお、ＩＣカードへの前述の印字は、カードの表面に直接印字するようにしてもよいが、貼り付けることが可能なシール等に印字して、そのシールをカード表面の印字領域に貼り付けるようにしてもよい。
【００６５】
このようなシールを使用した場合、ユーザが加入し自分のＩＣカード内にすでに登録されているクレジット会社から脱退したい場合等、そのクレジット会社のシステムとの間での通信回線等を介した処理により、対応するアプリケーションを無効にした後、シールを剥がすだけで、ＩＣカード内のそのアプリケーションが格納されている記憶領域を他のアプリケーションの記憶のために使用することが可能となり、また、対応する印字領域も、他の印字シールを貼り付けることにより、再使用することが可能となる。
【００６６】
図１６、図１７は新たなアプリケーションをＩＣカードに格納する処理を説明するフローチャートであり、以下、これについて説明する。
【００６７】
（１）ユーザは、自身の持つパソコン、あるいはアプリケーション組み込み端末にＩＣカードをセットして、公衆通信網等を介してアプリケーション発行者システムにアクセスし、アプリケーションの購入、あるいはクレジットへの加入を決定する（ステップ１６１、１６２）。
【００６８】
（２）ユーザは、アプリケーションの購入、あるいはクレジットへの加入が許可されると、自分のもつＩＣカードに格納されているユーザＩＤをアプリケーション発行者システムに送信する（ステップ１６２）。
【００６９】
（３）アプリケーション発行者システムは、送信されてきたユーザＩＤをサーバに登録して、アプリケーションをＩＣカードに格納するときに使用するアプリケーションインストール鍵をユーザ側に送信する（ステップ１６４、１６５）。
【００７０】
（４）ユーザ側装置は、送信されてきたアプリケーションインストール鍵をＩＣカード内に格納する（ステップ１６６）。
【００７１】
ここまでの処理は、前述で説明したＩＣカード読み取り書き込み装置の機能と通信回線との接続機能とを持つ装置であれば、どのような装置を使用しても行うことができ、例えば、すでに説明したＩＣカード電話機１５、携帯型ＩＣカード読み取り書き込み装置１２にＰＨＳ等を組合せたものを用いることができる。そして、この後の処理は、アプリケーション組み込み端末２６を使用するのがよく、以下の説明では、端末２６を使用するものとして進める。
【００７２】
（５）アプリケーションインストール鍵を格納したＩＣカードを用意したユーザは、アプリケーション組み込み端末２６が設置してある商店等の端末２６にＩＣカードを挿入する（ステップ１６７）。
【００７３】
（６）ユーザが、操作キーによりユーザＩＤを入力して新たなアプリケーションの組み込みを指示し、カード上の空きの印字領域を指定すると、端末は、挿入されたＩＣカードを活性化する処理を行うと共に、ＩＣカード内のユーザＩＤを検出し、ＩＤのチェックを行い、ＩＤが不一致の場合、ＩＣカードを排出して処理を終了する（ステップ１６８、１６９）。
【００７４】
（７）次に、端末は、ＩＣカード内のアプリケーションインストール鍵を確認し、印字領域の確認を行う。そして、インストール鍵が不正な場合、または、使用している端末がインストール鍵に含まれるクレジット等のシステムアプリケーションを操作することが許されていない場合（例えば、端末が、特定の商店等に設置されており、その商店では使用することができないクレジット）、及び、空きの印字領域が内場合、ＩＣカードを排出して処理を終了する（ステップ１７０、１７１）。
【００７５】
（８）インストール鍵が正当であり、かつ、ＩＣカードに空きの印字領域がある場合、端末は、インストール鍵内に含まれるクレジット会社または電子通貨供給会社のアプリケーション発行者システムにアクセスしてアプリケーションをダウンロードし、あるいは、自装置内のメモリに予め用意されているアプリケーションを取り出してＩＣカード内にインストールする（ステップ１７２、１７３）。
【００７６】
（９）次に、ＩＣカード内にインストールしたアプリケーション名や印字位置等の情報を書き込むと共に、ＩＣカード内のインストール鍵を無効化する。そして、印字ヘッドをＩＣカード上の所定の印字位置に移動させてサービス会社名の印字を行い、ＩＣカードを排出して処理を終了する（ステップ１７４〜１７７）。
【００７７】
前述した処理は、ユーザが既に少なくとも１つのアプリケーションを組み込んだＩＣカードを所持しており、そのＩＣカードに新たなアプリケーションを組み込むものとして説明したが、ＩＣカードを所持していないユーザの場合、ある１つのカード／アプリケーション発行者との契約を行って、その発行者のアプリケーションが予め組み込まれているＩＣカードの提供を受ければよい。
【００７８】
また、すでに加入しているクレジット、電子通貨の利用システムとの契約を解除して、すでにＩＣカード内に格納されているアプリケーションを削除したい場合、不用となったアプリケーション発行者のシステムに接続可能な装置を使用して、発行者システムに解約を通知し、発行者システムからＩＣカード読みとの書き込み装置を介してＩＣカード内のアプリケーションを無効にするようにすればよい。
【００７９】
次に、本発明のさらに他の実施形態によるマルチアプリケーションＩＣカードについて説明する。
【００８０】
図１８は磁気ストライプを備えたマルチアプリケーションＩＣカードの外観を示す図、図１９は磁気ストライプを備えた他のマルチアプリケーションＩＣカードの外観を示す図、図２０はシール張り付け装置または印字装置の外観を示す図、図２１はＩＣカード読み取り装置に磁気ストライプ付のＩＣカードを挿入して表示を行わせた状態を説明する図、図２２はＩＣカード読み取り装置の表示方法を説明する図である。図１８〜図２２において、２００は磁気ストライプを備えたＩＣカード、２０１は磁気ストライプ、２０２は発行会社名欄、２０３は所有者名欄、２０４は注意説明欄、２０５はサイン欄、２０６はサービス会社名欄、２１０は貼り付け装置、２１１は基台部、２１２はヒンジ部、２１３は蓋体、２１４はテーブル、２１５はスライド面、２１６は凹部、２１７は固定ボタン、２５０はＩＣカード読み取り装置、２５１、２５２は選択ボタンである。
【００８１】
図１８、図１９には、本発明の実施形態による磁気ストライプ２０１を備えた２種類のマルチアプリケーションＩＣカード２００の正面、裏面がそれぞれ、図の（ａ）、（ｂ）として示され、図１８に示すカードの断面が図１８（ｃ）に、また、図１９に示すカードの印字領域部分の詳細が図１９（ｃ）に示されている。そして、これらのＩＣカードの内部構造は、すでに説明した磁気ストライプを備えないＩＣカードと同一であり、ここでの説明は省略する。
【００８２】
現在、銀行等で使用されているカードは、磁気テープがカードの一方の長手方向側に設けられており、この磁気テープに各種の情報を記憶させることにより暗証番号等の照合を行っている。ここでは、各種の情報を記憶した前記磁気テープを磁気ストライプ２０１ということにする。これらの磁気ストライプ２０１を備えたカードは、発行会社の名称を印刷した面を表面とした場合、日本で流通している磁気ストライプ２０１を表面に設けたものと、欧米で流通している磁気ストライプ２０１を裏面に設けたものとがある。この他、磁気ストライプ２０１を備えたカードには、前述のカードの発行会社名、購入伝票にプレスしてその内容をコピー可能とするエンボス加工されたカード所有者名と会員番号、カード所有者のサイン欄、カード利用上の注意説明欄等が設けられている。
【００８３】
図１８、図１９に示す磁気ストライプ２０１を備えたマルチアプリケーションＩＣカード２００は、現在流通している磁気ストライプ２０１を備えたカードと同様な使い方をも可能とするように構成したものである。
【００８４】
図１８に示すＩＣカード２００は、図１８（ａ）に示すようにその表面に、その長手方向の一方の側に外部コンタクト４５が設けられている。そして、この実施例では、長手方向の中央から他の側に、例えば、「マルチカード」等のカード名が記載されるＩＣカード２００の発行会社名欄２０２が設けられ、前記外部コンタクト４５と前記発行会社名欄２０２とを挟むように磁気ストライプ２０１とＩＣカード２００の所有者名欄２０３とが長手方向に沿って設けられている。
【００８５】
一方、図１８（ｂ）に示すように、ＩＣカード２００の裏面には、前記磁気ストライプ２０１の裏面位置に注意説明欄２０４、前記発行会社名欄２０２の裏面位置にサイン欄２０５、前記所有者名欄２０３の裏面位置にアプリケーションを供給したサービス会社の名称等が印字される複数の印字領域４７を備えたサービス会社名欄２０６が設けられている。そして、前記外部コンタクト４５の裏面の位置には、カードの精度維持のため他の機能表示が設けられていない。
【００８６】
また、図１８（ｃ）に示すように、この実施形態では、裏面に設けた前記サービス会社欄２０６の全体を凹状に形成し、その凹部２０７に更に複数の凹部２０８を形成して印字領域４７を設けている。一方、前記サービス会社名欄２０８の表面に設けられる前記所有者名欄２０３は、前記サービス会社名欄２０６の形成に伴う凹凸部分に、例えば「山田太郎」等のカード所有者名と、「０１０１  ６６６  ９９９９９９」等の会員番号とが、エンボス加工で表面側に浮き出るように加工されている。そして、この実施形態では、エンボス加工された複数の印字領域４７に対応してサービス会社名が印字された印字領域シール４７ａを貼り付けるようにしている。図１８（ｃ）はＡ社マネーとＢ社ポイントの２枚の印字領域シール４７ａが貼り付けられた状態を示している。
【００８７】
前述したような本発明の実施形態によれば、エンボス加工が施されている前記所有者名欄２０３の裏面にシールを貼り付けることによりサービス会社名欄２０６として利用することができる。しかも、凹状に形成することにより、シールを貼る際の位置決めが容易となり、また、シールの剥がれを防止することができるという効果をも得ることができ、アプリケーションの書き換えに伴うシールの張り替えも容易である。
【００８８】
なお、図１８に示す実施形態は、サービス会社が印字された印字領域シール４７ａを個々に貼り付けるようにしているが、空白の印字領域シール４７ａを事前にＩＣカード２００ａに貼り付けて、その後印字するようにしてもよい。また、複数の印字領域４７が印字された１枚のシールをサービス会社名欄２０６の凹部２０７に貼り付けておき、その後、各印字領域４７にサービス会社名を印字するようにしてもよい。この場合、複数の印字領域４７の凹部２０８を形成しなくともよい。さらにまた、凹状のサービス会社名欄２０６に、前述の実施形態で説明した書き換えが可能なコーテング処理を施しておいてもよい。
【００８９】
図１９に示すＩＣカード２００は、図１９（ａ）に示すようにその表面に、その長手方向の一方の側に外部コンタクト４５が設けられている。そして、この実施形態では、一方の長辺側（図面下部）に長手方向に沿ってＩＣカード２００の所有者名欄２０３、長手方向の中央から他の側（図面右上）にＩＣカード２００の発行会社名欄２０２と注意説明欄２０４とを設けている。なお、ＩＣカード２００の前記発行会社名欄２０２と注意説明欄２０４とは、各欄を枠等で分離してもあるい一体にしてもよく、また、図面左上角部の空白部に延長してもよい。
【００９０】
一方、図１９（ｂ）に示すように、ＩＣカード２００の裏面には、前記所有者名欄２０３の裏面位置にサービス会社名欄２０６、このサービス会社名欄２０６と対向する長辺側に磁気ストライプ２０１、前記サービス会社名欄２０６と磁気ストライプ２０１の間にサイン欄２０５を設けている。この実施形態においても、外部コンタクト４５の裏面の位置に他の機能表示は設けられていない。
【００９１】
また、この実施形態においても、前記所有者名欄２０３と裏面のサービス会社名欄２０６との位置の断面は図１８（ｃ）の場合と同様な構造を有しているが、印字領域シール４７ａに有効期限が簡単に分かるような印刷を施している。これについて図１９（ｃ）により説明する。すなわち、印字領域シール４７ａの周囲に太い枠２０９を印字等により設け、この枠を例えば左右２分割して、一方の枠を年度エリア２０９ａ、他方の枠を月エリア２０９ｂとして、各年度及び各月に特定の色を設定して色彩で有効期限を示すようにしている。これにより、文字数を減らして見易さを向上させることができる。
【００９２】
特に、この種の複数のアプリケーションを備えたＩＣカード２００は、各アプリケーションによって有効期限が異なる場合が想定され、さらに、印字領域シール４７ａまたは印字領域４７は大きく設定できないので、サービス会社名以外の余分な文字を極力減らす必要がある。この意味で、この本発明の実施形態によれば、有効期限を分かりやすく表示することができる。なお、この実施形態では、太い枠２０９を使用するとして説明したが、本発明は、これに限定されるものではなく、例えば、上下に帯を設けたり、あるいは、上期、下期等、印字領域シール４７ａに特定のエリアを設けて対応する期日に対応して設定された色彩を施すことで同様な効果を得ることができる。
【００９３】
前述で説明した図１８、図１９に示した磁気ストライプ２０１を備えたＩＣカード２００によれば、磁気ストライプ２０１を単独で使用する場合、磁気ストライプ２０１の位置が異なる地域に対応して、図１８、図１９に示すＩＣカード２００を選択しなければならないが、外部コンタクト４５を使用するＩＣカード２００のシステムにおいては、外部コンタクト４５に対して複数の印字領域４７を同一の位置に設けることができるので、利用者の磁気ストライプの位置が異なることによる戸惑いを軽減させることができると共に、印字領域４７の印字あるいは印字領域シール４７ａを貼る場合のメンテナンスの周辺機器の共通化を図ることができる。すなわち、複数の印字領域４７をＩＣカード２００に設けられる所有者名欄２０３の裏面位置に設けることにより、ＩＣカード２００の表面及び裏面を有効に活用して、カードのコンパクト化や印刷された内容の視認性を向上させることができる。
【００９４】
次に、印字領域シール４７ａをＩＣカード２００の所定の位置に貼り付ける簡易型の貼り付け装置２１０あるいは印字領域４７に印字する簡易型の印字装置の構成を図２０を参照して説明する。ここでは、張り付け装置２１０を例にして説明する。
【００９５】
図２０に示すシール張り付け装置２１０は、基台部２１１と、該基台部２１１の上面後端部に設けたヒンジ部２１２により開閉可能に取付けられる蓋体２１３とから構成される。前記基台部２１１の上面には、左右方向に移動可能に設けられたＩＣカード２００を所定位置に固定するテーブル２１４が設けられている。テーブル２１４のスライド面２１５には、テーブル２１４に固定されたＩＣカード２００のサービス会社名欄２０６の各印字領域４７に対応して複数の凹部２１６が形成され、前記基台部２１１に設けられるテーブル２１４のスライド面２１５には固定ボタン２１７が設けられている。この固定ボタン２１７は、前記凹部２１６の一個と噛み合ってテーブル２１４の左右移動を阻止または前記噛み合いを解除して左右移動を可能とするように矢印方向に揺動可能に設けられている。また、前記蓋体２１３の内側には、蓋体２１３を閉めた状態で、固定された前記テーブル２１４の所定の位置にセットされるＩＣカード２００の１個の印字領域４７と対峙する位置に印字領域シール４７ａをセットするシール取付部２１８が設けられている。なお、印字装置として使う場合は、前記シール取付部２１８に変えて印字部を設けるようにすればよい。
【００９６】
このシール張り付け装置２１０を使用することにより、所定のアプリケーションＩＣカード２００内に格納した後で、ＩＣカード２００をテーブル２１４の所定の位置にセットし、固定ボタン２１７を操作してテーブル２１４を移動して目的の印字領域４７の位置で固定し、対応する印字領域シール４７ａをシール取付部２１８にセットした蓋体２１３を閉めることにより、印字領域シール４７ａを印字領域４７押し付けて簡単に印字領域シール４７ａをＩＣカード２００の印字領域４７に張り付けることができる。その際、前述の図１８、図１９に示したＩＣカード２００の磁気ストライプ２０１の配置等が異なっていても、印字領域４７の配置位置を共通にしているので、シール張り付け装置２１０により、両方のＩＣカード２００の作成を行うことができる。
【００９７】
なお、前述で説明したシール張り付け装置２１０は、一実施形態であり、本発明は、これに限定されるものではない。また、前述したように、シール取付部２１８を印字部に取り替えて印字装置としてもよい。
【００９８】
図２１に示すＩＣカード読み取り装置に磁気ストライプ付のＩＣカードを挿入して表示を行わせた状態を説明する図において、ＩＣカード読み取り装置２５０は、図５により説明したＩＣカード読み取り装置１１と同様な構造を備えており、その上面に表示部５６を有し、図示しない側面に前記ＩＣカード２００の外部コンタクト４５が設けられている短い辺を挿入することができるＩＣカード挿入口６３を備えた小型の長方形の形状を有して構成される。このＩＣカード読み取り装置２５０は、ＩＣカード２００の外部コンタクト４５と内部で電気的に接続して表示部５６にＩＣカード２００に格納されているアプリケーション内の情報を表示することができる。
【００９９】
また、図示ＩＣカード読み取り装置２５０は、磁気ストライブ２０１を備えた前記ＩＣカード２００を使用するので、前記複数の印字領域４７を表示部５６に隣接して配置することができない。このため、表示部５６には、図２２でその詳細を説明するように、「アプリケーションの種類Ａ」、「表示項目名称Ｂ」、「表示項目のデータ内容Ｃ」を表示することが可能とされている。ここでは、表示部５６の左側にアプリケーションの種類Ａ、右側に表示項目名称Ｂとそのデータ内容Ｃを上下２段で表示するようにしている。そして、前記表示部５６に隣接してアプリケーションの種類Ａを選択する選択ボタン２５１と、前記表示項目名称Ｂ及びそのデータを示す表示項目のデータ内容Ｃを選択する選択ボタン２５２が設けられている。
【０１００】
なお、図２１に示すＩＣカード読み取り装置の実施形態は、アプリケーションの種類Ａに複数の表示項目名称Ｂを選択可能とするために選択ボタン２５２を設けたが、１つのアプリケーションに１つの表示項目名称Ｂを表示する単機能に限定すれば選択ボタン２５２を設けなくともよい。
【０１０１】
次に、図２２を参照して表示部５６の表示方法について説明する。図２２（ａ）は表示内容の説明図、図２２（ｂ）〜図２２（ｄ）図は表示部５６の表示方法の他の実施形態を示している。
【０１０２】
図２２（ａ）に示すように、アプリケーションの種類Ａは、ＩＣカード２００に格納される各種のアプリケーションに対応して、サービス会社名欄２０６の各印字領域４７と一致するように表示するものであり、例えば、電子通貨発行者名やカード発行者名である。表示項目名称Ｂは、前記各アプリケーションの種類Ａに格納されて表示可能な項目名称であり、例えば、各アプリケーションの有効期限、問合わせ先（電話番号等）、カード使用に伴うポイント、貸出し最高金額、電子通貨の残高、最新支払額、履歴、購入チケットの日付や場所等である。そして、この表示項目名称Ｂは、各アプリケーション毎に設定さける。表示項目のデータ内容Ｃは、表示項目名称Ｂのデータ内容を示すものであり、例えば、「有効期限」の表示項目名称Ｂに対して「１９９９年１２月３１日」等の日付データ等、数値データや文字データである。
【０１０３】
これらの表示項目は、例えば、図２１に示すように表示されるので、その表示内容によりＡ社マネーの残高が￥１０、０００であることが判る。利用者は、その際に、他のアプリケーションの内容を確認したい場合、選択ボタン２５１を押下してＩＣカード２００内に格納されている「アプリケーションの種類Ａ」を順次表示して所定のアプリケーションを選択し、次に、選択ボタン２５２を押下して、選択されたアプリケーションで表示可能な表示項目名称Ｂとその表示項目のデータ内容Ｃとを順次表示させることにより所定の表示内容を確認することができる。
【０１０４】
この表示部５６の表示方法は、図２１に示す態様に限定されるものでなく、「アプリケーションの種類Ａ」、「表示項目名称Ｂ」、「表示項目のデータ内容Ｃ」が同時にまたは順次に、表示部５６に表示されればよい。
【０１０５】
この応用例を図２２（ｂ）〜（ｄ）により説明する。図２２（ｂ）は、表示部５６を横長に形成して前記表示内容Ａ、Ｂ、Ｃを横一列に表示するものである。図２２（ｃ）は表示部５６を縦長に形成して前記表示内容Ａ、Ｂ、Ｃを上下に並べて表示するものである。図２２（ｄ）は小さな表示部５６に、前記表示内容Ａ、Ｂ、Ｃを順次サイクル的に表示するものである。図２２（ｄ）例は単機能のタイプに有効である。
【０１０６】
【発明の効果】
以上説明したように本発明によれば、各種の電子通貨システム、クレジットカードシステムのそれぞれに対応するアプリケーションを必要に応じて格納することが可能で、１枚のＩＣカードで複数のシステムに共通に使用することができるマルチアプリケーションＩＣカードを得ることができ、また、新たなアプリケーションの格納と同時に、そのシステムの名称をカード上に印字することのできるアプリケーション組み込み装置を提供することができる。
【図面の簡単な説明】
【図１】本発明によるマルチアプリケーションＩＣカードが使用されるマルチアプリケーションＩＣカードシステムの構成を示すブロック図である。
【図２】ＩＣカード内の機能構成を説明する図である。
【図３】カード表面のアプリケーションの表示状況を説明する図である。
【図４】ＩＣカード読み取り装置の機能構成を示すブロック図である。
【図５】ＩＣカード読み取り装置の外形、構造を説明する図である。
【図６】ＩＣカード読み取り装置にＩＣカードを挿入して表示を行わせている状態を説明する図である。
【図７】ＩＣカード読み取り装置の構造の他の例を説明する図である。
【図８】ＩＣカード読み取り装置の構造のさらに他の例を説明する図である。
【図９】ＩＣカード読み取り書き込み装置の構成を示すブロック図である。
【図１０】携帯型ＩＣカード読み取り書き込み装置の外形構造について説明する図である。
【図１１】携帯型ＩＣカード読み取り書き込み装置の外形構造の他の例について説明する図である。
【図１２】ＩＣカード読み取り書き込み装置の他の構成例を示すブロック図である。
【図１３】ＩＣカード読み取り書き込み装置の外形構造について説明する図である。
【図１４】アプリケーション組み込み端末の構成を示すブロック図である。
【図１５】アプリケーション組み込み端末の内部構造を説明する図である。
【図１６】新たなアプリケーションをＩＣカードに格納する処理を説明するフローチャートである。
【図１７】新たなアプリケーションをＩＣカードに格納する処理を説明するフローチャートである。
【図１８】磁気ストライプを備えたマルチアプリケーションＩＣカードの外観を示す図である。
【図１９】磁気ストライプを備えた他のマルチアプリケーションＩＣカードの外観を示す図である。
【図２０】シール張り付け装置または印字装置の外観を示す図である。
【図２１】ＩＣカード読み取り装置に磁気ストライプ付のＩＣカードを挿入して表示を行わせた状態を説明する図である。
【図２２】ＩＣカード読み取り装置の表示方法を説明する図である。
【符号の説明】
１  カード及びアプリケーション発行者システム
２  エンドユーザシステム
３  流通システム
４  金融システム
５  自動販売機システム
６  公衆通信網
１０  マルチアプリケーションＩＣカード
１１  携帯型ＩＣカード読み取り装置
１２  携帯型ＩＣカード読み取り書き込み装置
１３  パソコン
１４  ＰＣカード型ＩＣカードリーダーライター
１５  ＩＣカード電話機
１６  ＩＣカードリーダーライター
１７  ＩＣカード用クレジットカード決済端末
１８  ＰＯＳ端末
１９  ストアコントローラー
２０  窓口端末
２１  現金自動預入支払機
２２  内部通信回線
２３  内蔵型ＩＣカードリーダーライター
２４  自動販売機
２５  電子通貨格納用電子金庫
２６  アプリケーション組み込み端末
３０  カードアプリケーション
３１  端末アプリケーション
３２  サーバーアプリケーション管理システム
３３  情報制御システム
４０、５１  ＣＰＵ
４１、５３  ＲＡＭ
４２、５２  ＲＯＭ
４３  ＥＥＰＲＯＭ
４４  通信制御ブロック
４５  外部コンタクト
４６  内部バス
５０  ＬＳＩ
５４  ＩＣカード活性化制御部
５５  Ｉ／Ｏポート
５６、８４  表示部
５７  選択ボタン
５８  電源
５９  コネクタ
６０  アプリケーション指示表示
６１  選択スイッチ
６２、８０  本体部
６３  ＩＣカード挿入口
７１  フラッシュＲＯＭ
７２  ソフトチャージャー接続部
７３  入力部
７４  変復調部
７５  発光／受光部
８１  モデム接続部
８２  駆動部
８３  印字部
８５  操作キー
２００  磁気ストライプを備えたＩＣカード
２０１  磁気ストライプ
２０２  発行会社名欄
２０３  所有者名欄
２０４  注意説明欄
２０５  サイン欄
２０６  サービス会社名欄
２１０  貼り付け装置
２１１  基台部
２１２  ヒンジ部
２１３  蓋体
２１４  テーブル
２１５  スライド面
２１６  凹部
２１７  固定ボタン
２５０  ＩＣカード読み取り装置
２５１、２５２  選択ボタン
【図１】
0003982878.tif 000002
【図２】
0003982878.tif 000003
【図３】
0003982878.tif 000004
【図４】
0003982878.tif 000005
【図５】
0003982878.tif 000006
【図６】
0003982878.tif 000007
【図７】
0003982878.tif 000008
【図８】
0003982878.tif 000009
【図９】
0003982878.tif 000010
【図１０】
0003982878.tif 000011
【図１１】
0003982878.tif 000012
【図１２】
0003982878.tif 000013
【図１３】
0003982878.tif 000014
【図１４】
0003982878.tif 000015
【図１５】
0003982878.tif 000016
【図１６】
0003982878.tif 000017
【図１７】
0003982878.tif 000018
【図１８】
0003982878.tif 000019
【図１９】
0003982878.tif 000020
【図２０】
0003982878.tif 000021
【図２１】
0003982878.tif 000022
【図２２】
0003982878.tif 000023